(57)【特許請求の範囲】
【請求項１】
育苗ポットの収納部が連設されてなるトレーにおいて、該収納部は該育苗ポットの高さより深くされ、該収納部の開口部縁から突起が張り出され、該突起が該育苗ポットの上縁の一部を蓋するように覆うことを特徴とする育苗ポットの移動用トレー。
【請求項２】
前記開口部が、四隅が円弧状の略正方形とされ、少なくともその一隅に前記突起が設けられたことを特徴とする請求項１に記載する育苗ポットの移動用トレー。
【請求項３】
前記突起が、開口部の四隅、または、対向する二隅に設けられたことを特徴とする請求項２に記載する育苗ポットの移動用トレー。
【請求項４】
育苗ポットの収納部が連設されてなるトレーにおいて、該収納部の開口部の一部を覆う押さえ部材が、着脱自在に設けられ、かつ、該育苗ポットが該収納部に押し込まれるときに該押さえ部材が該育苗ポットの側壁部分を押して、該育苗ポットが該収納部に押し込み可能となされたことを特徴とする育苗ポットの移動用トレー。
【請求項５】
前記収納部が縦横に格子状に連設されていて、前記押さえ部材が、縦又は横に並ぶ少なくとも１列の収納部列の全ての開口部の一部を覆うように設けられたことを特徴とする請求項４に記載する育苗ポットの移動用トレー。
【請求項６】
前記押さえ部材が、隣接する２列の収納部列間に設けられ、該２列の収納部の、それぞれの開口部の一部を覆うことを特徴とする請求項５に記載する育苗ポットの移動用トレー。
【請求項７】
前記押さえ部材が格子状又は櫛状とされ、全ての収納部列に対して１個だけ設けられたことを特徴とする請求項５に記載する育苗ポットの移動用トレー。
【請求項８】
前記開口部の、突起が設けられてない縁部の一部、または、押さえ部材に覆われない縁部の一部が、少なくとも指先の幅で低くされたことを特徴とする請求項１乃至請求項７に記載する育苗ポットの移動用トレー。
【発明の詳細な説明】
【０００１】
【発明の属する技術分野】
本発明は、育苗ポット苗が運搬中に飛び出すのが防止された、育苗ポットの移動用トレーに関する。
【０００２】
【発明が解決しようとする課題】
薄くて鉢状に成形された育苗ポットは、育苗の作業性を高めると同時に、そのまま出荷できる利点があり、従来より、種々の苗栽培に広く用いられてきた。通常、育苗ポットは、個々の育苗ポットが一個ずつ収容される収納部が連続して設けられたトレーか、あるいは、仕切りのない箱状であって育苗ポットを纏めて収めるトレーに収容されて取り扱われる。前者のトレーでは、育苗ポットの型崩れや転倒などが生じにくい特徴がある。
【０００３】
しかしながら、トレーの移動時、特に、出荷に伴う運搬中には、トラックの激しい振動や、積み降ろし時の強い衝撃などを受けて、育苗ポット苗が収納部から飛び出してしまい、苗を傷つけるトラブルが発生しやすい。そして、このようなトラブルが生じると、出荷先は、傷ついた苗だけでなくトレー全体の苗を引き取らない場合が多く、出荷元にとって大きな損失になっている。
【０００４】
これに対し、育苗ポットの飛び出しを防止できるトレーの提案（実開平５−７６２４９）がある。すなわち、図１９、図２０に示されるように、トレー５０の育苗ポット載置部５２に、爪状の抜け止め突起５４を設け、この突起５４の４個を、育苗ポット５６の排水孔５８に挿入して引っ掛ける構成とされている。本提案によれば、抜け止め突起５４によって育苗ポット５６がトレー５０に固定されるので、運搬時などでの、育苗ポットの飛び出し防止に確かに有効であると期待される。しかしながら、抜け止め突起５４を、育苗ポット５６の排水孔５８に位置合わせすることや、薄くて柔らかい排水孔５８の縁に、抜け止め突起５４を確実に引っ掛けるのは非常に難しいことであった。
【０００５】
そこで本発明者は、従来技術の上述の問題点に鑑み、取扱が容易で、運搬時などでの育苗ポットの飛び出しを防止できる育苗ポットの移動用トレーについて鋭意検討を重ねた結果本発明に至ったのである。
【０００６】
【課題を解決するための手段】
本発明に係る育苗ポットの移動用トレーの要旨とするところは、育苗ポットの収納部が連設されてなるトレーにおいて、収納部は育苗ポットの高さより深くされ、育苗ポットの上縁の一部を覆うように、収納部の開口部縁から突起が張り出されたことにある。
【０００７】
さらに、かかる育苗ポットの移動用トレーにおいて、開口部が、四隅が円弧状の略正方形とされ、少なくともその一隅に前記突起が設けられたことにある。
【０００８】
さらにまた、前記突起が、開口部の四隅、または、対向する二隅に設けられたことにある。
【０００９】
また、本発明に係る育苗ポットの移動用トレーの別の要旨とするところは、育苗ポットの収納部が連設されてなるトレーにおいて、収納部の開口部の一部を覆う押さえ部材が、着脱自在に設けられたことにある。
【００１０】
さらに、かかる育苗ポットの移動用トレーにおいて、収納部が縦横に格子状に連設されていて、押さえ部材が、縦又は横に並ぶ少なくとも１列の収納部列毎に設けられたことにある。
【００１１】
またさらに、押さえ部材が、隣接する２列の収納部列間に設けられ、２列の収納部の、それぞれの開口部の一部を覆うことにある。
【００１２】
あるいはまた、押さえ部材が格子状又は櫛状とされ、全ての収納部列に対して１個だけ設けられたことにある。
【００１３】
また、これら育苗ポットの移動用トレーにおいて、開口部の、突起が設けられてない縁部の一部、または、押さえ部材に覆われない縁部の一部が、少なくとも指先の幅で低くされたことにある。
【００１４】
【発明の実施の形態】
次に、本発明に係る育苗ポットの移動用トレーの実施態様について、図面に基づいて詳しく説明する。
【００１５】
図１は、本発明に係わる育苗ポットの移動用トレーの、特に有用な実施態様の一例を示すものである。移動用トレー１０の枠１４内には、育苗ポットの収納部１６が縦横に格子状に連設されており、収納部１６は四隅が円弧状の略正方形とされている。また、それぞれの収納部１６は桟２４によって区切られており、各収納部１６の開口部２０の四隅の縁から、舌状の突起２２が開口部２０の内側に向けて張り出されている。そして、桟２４の、収納部１６の四辺を形成する部分のそれぞれには、窪み２６が設けられている。図２に説明されるように、収納部１６の深さは収納される育苗ポット１２の高さより大きくされていて、突起２２は、育苗ポット１２の上縁１８を覆うように設けられている。
【００１６】
本例の移動用トレー１０は、次のようにして用いられる。まず、育苗ポット１２を収納部１６の開口部２０から押し入れるが、突起２２に触る側壁部分は内側に変形して挿入される。収納部１６は、育苗ポット１２の高さより深いので、収納部１６の底に達するまで育苗ポット１２が深く押し込まれると、育苗ポット１２は突起２２と接触しないようになり、突起２２に押されて変形してた側壁部分が元に戻る。すなわち、育苗ポット１２の上縁１８が突起２２の下に潜るように広がる。育苗ポット１２が空である時は勿論、用土１９がすでに入れられていたり、苗が植え込まれたりしていても、通常、用土１９が育苗ポット１２の上縁１８まで満たされることはない。したがって、突起２２に側面を押されれば、上縁１８部分が容易に曲げられて変形するので、育苗ポット１２は収納部１６へ容易に挿入される。特に用土１９量が多くて、用土１９部分が突起２２に引っ掛かる時には、手指で育苗ポット１２の変形を助けながら挿入する場合もある。
【００１７】
育苗ポット１２が収納された移動用トレー１０は、育苗の過程で、生産現場を移動させられたり、製品になってから出荷先に運ばれたりするが、育苗ポット１２の上縁１８が突起２２によって蓋するように覆われているため、激しい上下動を受けても、突起２２に上側を遮られて、育苗ポット１２が移動用トレー１０から飛び出すことはなくなる。
【００１８】
出荷先などで育苗ポット１２を取り出す時は、育苗ポット１２の上縁１８を手で摘んで引き上げる。特に用土量が多い場合などには、挿入時と同様に、手指で育苗ポット１２の変形を助けながら引出すこともある。
【００１９】
収納部１６が育苗ポット１２の高さより深くされる場合には、育苗ポット１２を引き出す時に、育苗ポット１２の上縁１８部分を手で摘むのが、桟２４や枠１４に邪魔されて難しいことがある。本例の移動用トレー１０では、桟２４に、指先の幅より広い窪み２６が設けられているので、この窪み２６部分で育苗ポット１２の上縁１８部分を容易に摘むことができて、移動用トレー１０から育苗ポット１２を引き出すのが非常に楽になる。なお、本発明でいう指先の幅とは、大人の人指し指の平均的な幅を意味する。
【００２０】
図１に例示される移動用トレー１０の収納部１６は、その開口部２０が、四隅が円弧状の略正方形とされていて、本発明の特に好ましい実施態様である。その理由を、図３〜図５を参照しながら説明する。図３に示される、開口部２８が円形の育苗ポット１２は、略正方形の開口部２０を備えた収納部１６に入れられると、図４に示されるように、収納部１６と略同形に変形する。そして、その四隅部３０が尖り、曲率半径Ｒが小さくなって、矢印で示す圧縮応力に対する抵抗力が増加する。すなわち、移動用トレー１０の運搬時などに、激しい上下動を受けて突起２２に下から突き当たっても、上縁１８部分が座屈して変形し、突起２２をくぐり抜けて飛び出したりしなくなる。
【００２１】
また、開口部２８が略正方形に変形した育苗ポット１２では、開口部２８の四隅部３０が外に拡がることになる。四隅部３０の側面部を開放して、開放された側面部が投影される部分に限って突起２２を設けるという、プラスチック成形上有利な方法を採用するとすれば、四隅部３０が外に拡がる分だけ大きな突起が設けられることになる。すなわち、図５に示されるように、底３２の縁３３と開口部２８の縁１８との距離ｄが長くなれば、開放された側面部が投影される部分３４が広くなって、より大きな突起２２が設けられる。そして、突起２２が大きくできれば、育苗ポット１２の飛び出しがより確実に抑えられる。収納部１６に入れる時の育苗ポット１２は円形なので、特に大きな突起２２でない限り、挿入の邪魔にならない。また、移動用トレー１０から育苗ポット１２を取り出す時も、四隅部３０を内に曲げて突起２２を避けるのであるが、元の丸い形に戻ろうとする変形なので容易に行われる。
【００２２】
しかしながら、本発明の移動用トレーに設けられる収納部は、本例の略正方形の開口部形状に限定されるものではない。例えば、図６に示されるように、開口部２０が円形であってもよいし、あるいは、六角形や八角形の開口部とされてもよい。
【００２３】
突起２２の設けられる数は、図１に例示されるように、収納部１６の四隅に４個、または、図７（ａ）に示されるように、対向する二隅に２個とされるのが、育苗ポット１２を偏ることなく抑えることができるので特に好ましい。しかしながら、育苗ポット１２が固くて変形しにくかったり特に細長だったりする場合は、図７（ｂ）に示されるように、一隅に突起２２が設けられるだけで、育苗ポット１２の飛び出しを十分に防止できる。あるいは、育苗ポット１２の挿入や取り出しの作業性を考慮して、図７（ｃ）に示されるように、隣り合う二隅に設けられることもある。また本発明は、図７（ｄ）に示されるように、略正方形の各辺に突起２２を設ける場合を含め、突起の数や配設場所が自由に選択されるものであり、上述の数例に限定されるものではない。
【００２４】
また、突起２２の形状も特に限定されない。例えば、図８（ａ）は、図１に示されるのと同様の、扇状突起２２を示し、同図（ｂ）は略三角形の突起２２を示し、同図（ｃ）は、育苗ポット１２に向く側が凹の三日月状の突起２２を示している。また、同図（ｄ）は、２本の爪状の突起２２を示している。突起２２の厚みや大きさや形状は、移動用トレー１０に収容する育苗ポット１２の形状や大きさや固さなどによって、最適に設計されるものである。
【００２５】
図９は、本発明に係わる移動用トレー１０の別の実施態様を説明するものであり、収納部１６の開口部２０の一部を覆う押さえ部材が、着脱自在に設けらた例である。押さえ部材３６は、移動用トレー１０の枠角に位置して、１個の収納部１６だけを覆うものであり、押さえ部材３７は枠１４に位置して２個の収納部１６を覆い、押さえ部材３８は桟２４に位置して４個の収納部１６を覆っている。
【００２６】
本例の移動用トレー１０によれば、着脱自在の押さえ部材３６、３７、３８を移動用トレー１０から外した状態で、育苗ポット１２が収納部１６に入れられる。そして、収納された育苗ポット１２に対して、押さえ部材３６、３７、３８が逐次装着されるか、あるいは、全部の育苗ポット１２が収納されてから、押さえ部材３６、３７、３８が纏めて装着される。逆に、育苗ポット１２を取り出す時は、まず、移動用トレー１０から押さえ部材３６、３７、３８が外される。したがって、押さえ部材３６、３７、３８の大きさは、育苗ポット１２を収納部１６に出し入れする作業性に直接影響しないので、育苗ポット１２の飛び出しを確実に防止できるだけの、十分に大きい押さえ部材３６、３７、３８とすることが出来る。
【００２７】
押さえ部材の形状は特に限定されない。例えば、図１０（ａ）に示される押さえ部材３９は、１本の桟２４に固定されて、その両側の６個の収納部１６を覆い、同図（ｂ）に示される押さえ部材４０は、その両側の８個の収納部１６を覆う短冊状の形状とされている。また、同図（ｃ）に示される押さえ部材４１は、１個の収納部１６の周囲に沿って装着され、その収納部１６の四隅と、隣接する４個の収納部１６の一辺と、対角する４個の収納部１６の一隅とを覆う、ロの字形の形状とされている。
【００２８】
図１１に示される押さえ部材４２は、１列の収納部１６の全部を押さえる長い短冊状とされていて、本発明の特に有用な実施態様の一例である。１個の押さえ部材４２で１列全部の沢山の育苗ポット１２を押さえることができるので大変便利である。押さえ部材４２の着脱は、移動用トレー１０の横からの挿入または引出しと、枠１４への固定・取り外し作業で行われるが、苗の葉を掻き分けるなどの必要がないので、葉の繁った育苗ポット１２に対しても、苗の品質を損なう恐れがない。
【００２９】
また、図１２に示される押さえ部材４３も、本発明の特に有用な実施態様の一例である。隣接する２列の収納部１６列の間に長い短冊状として設けられ、この２列の収納部１６全部の端部を押さえている。１個の押さえ部材４３で、２列全部の沢山の育苗ポット１２を押さえることができるので効率がよく、押さえ部材４３の着脱が、移動用トレー１０の横からだけでできるので大変便利である。押さえ部材４３を連続的に設けて、各収納部１６の四隅が押さえられるようにされてもよいし、隔列毎に設けられて、各収納部１６の二隅だけが押さえられるようにされてもよい。
【００３０】
図１３に示される押さえ部材４４は、隣接する２列の収納部１６列間に設けられた２個の短冊状押さえ部４７が、繋ぎ部４８によって連結され、コの字形の形状とされている。１個の押さえ部材４４で、３列の育苗ポット１２を押さえることができるので、さらに効率が上がり便利である。
【００３１】
押さえ部材の効率を最も高めるには、ただ１個の押さえ部材で移動用トレー１０内の全ての育苗ポット１２を押さえることである。図１４に示される押さえ部材４５は、移動用トレー１０全幅に亘り、押さえ部４７が繋ぎ部４８によって櫛状に連結されたものであり、全ての収納部１６に対し、その一部を覆っている。また、図１５に示される押さえ部材４６は、移動用トレーの本体部１１と同形の格子状とされ、全ての収納部１６の四隅を覆うことができる。押さえ部材４５または押さえ部材４６によれば、ただ一度の着脱操作で、全ての育苗ポット１２を固定または解放できるので、格別に便利である。
【００３２】
押さえ部材が、移動用トレー１０に着脱自在に係止される方法は特に限定されない。ネジやピンやクリップなどの係止具を用いてもよいが、できれば、部品数の少ない単純な機構とされるのが好ましい。例えば、図１６（ａ）に示されるように、押さえ部材４９又は押さえ部４７に設けた突起２３を、桟２４又は枠１４に設けた孔２５に押し込んで嵌合させる方法でもよい。あるいは、同図（ｂ）に示されるように、押さえ部材４９の端部又は繋ぎ部４８の一部をコの字形に曲げ、枠１４に引っ掛ける係止方法とされてもよい。
【００３３】
図１に示される、突起２２を設けた移動用トレー１０を例として、窪み２６を設けることの有用性をすでに説明した。押さえ部材を備えた移動用トレー１０でも、窪み２６は有用である。押さえ部材を備えた移動用トレー１０では、収納部１６の深さは必ずしも育苗ポット１２の高さより大きくされない。育苗ポット１２が収納部１６に収められた後に、押さえ部材が被せられるので、育苗ポット１２の上縁１８を曲げて押さえ付けることも可能であり、育苗ポット１２の全部が収納部１６に入ることが必要条件にはならないのである。しかしながら、収納部１６が育苗ポット１２より深くされれば、育苗ポット１２の上縁１８が、押さえ部材によってより確実に蓋されるので好ましく、このような移動用トレー１０では、窪み２６が設けられるのが望ましい。また、育苗ポット１２の材質や、苗の種類や性状によっては、押さえ部材を着脱しなくても育苗ポット１２を出し入れできる場合がある。このような場合に備え、育苗ポット１２の取扱が楽になる、窪み２６が設けられれば、移動用トレー１０の汎用性が高められる。
【００３４】
図１７に示される窪み２６は、突起２２が四隅に設けられた収納部１６の、四辺を形成する桟２４及び枠１４のそれぞれに設けられている。また、図１８に示される窪み２６は、２個の押さえ部材４３が四隅を覆う収納部１６の、押さえ部材４３に覆われていない二辺に設けられている。窪み２６の配設される場所や数などは、収納部１６や育苗ポット１２の形状や大きさに基づいて適切に設計される。また、窪み２６の形状は、指先幅より広く育苗ポット１２の上縁１８を摘める深さであればよく、長方形、台形、半円形等々、特に限定されない。
【００３５】
移動用トレー１０の材質は、成形性とコストに優れたポリプロピレンなどのプラスチックが好ましく用いられる。また、紙屑などがリサイクル使用された成形品なども好ましく用いられる。
【００３６】
以上、本発明の移動用トレーについて詳細に説明してきたが、本発明は上述の引用例示に限定されず、収納部の配設方法、突起の形状や配設方法、押さえ部材の材質や形状や係止方法などにつき、その趣旨を逸脱しない範囲内で種々なる  改良、修正、変化を加えた態様で実施し得るものである。
【００３７】
【発明の効果】
本発明に係わる、突起を備えた移動用トレーによれば、育苗ポットの上縁が突起によって蓋するように覆われるため、激しい上下動を受けても、突起に上側を遮られて、育苗ポットが移動用トレーから飛び出すことはなくなる。
【００３８】
さらに、収納部の開口部が、四隅が円弧状の略正方形とされて、その少なくとも一隅に突起が設けられれば、飛び出しを抑える効果がさらに向上する。すなわち、育苗ポットは収納部と略同形に変形するのであるが、その、曲率が大きくなって、圧縮応力に対する抵抗力が増加した隅部を突起が覆うようになるので、運搬時などに、激しい上下動を受けて突起に下から突き当たっても、育苗ポットの上縁部分が座屈したりせず、突起をくぐり抜けて飛び出したりしなくなる。
【００３９】
また、開口部が略正方形に変形した育苗ポットでは、開口部の四隅部が外に拡がることになる。その結果、四隅部の側面部を開放して、開放された側面部が投影される部分に限って突起を設けるという、プラスチック成形上有利な方法（金型を両側に開くだけで成形品を取り出せる）を採用するとすれば、四隅部が外に拡がる分だけ大きな突起が設けられることになる。すなわち、より大きな突起が設けられて、育苗ポットの飛び出しがより確実に抑えられる。
【００４０】
特に、このような収納部を備えた移動用トレーにおいて、収納部の四隅又は対向する二隅に突起が設けられれば、育苗ポットを偏ることなく抑えることができるので、飛び出し防止効果が向上する。
【００４１】
また、  本発明の押さえ部材を備えた移動用トレーによれば、育苗ポットの上縁が押さえ部材によって蓋するように覆われるため、激しい上下動を受けても、押さえ部材に上側を遮られて、育苗ポットが移動用トレーから飛び出すことはなくなる。また、押さえ部材が着脱自在とされていて、押さえ部材を外して育苗ポットを出し入れできるので、作業が非常に楽になる。
【００４２】
さらに、この押さえ部材が、少なくとも１列の収納部の、それぞれの開口部の一部を覆うようにされれば、１個の押さえ部材で、少なくとも１列全部の沢山の育苗ポットを押さえることができるので大変便利である。また、押さえ部材の着脱は、移動用トレーの横からの挿入または引出しによって行うことができるので、葉を掻き分けるなどの作業が不必要となり、葉の繁った育苗ポットに対しても、苗の品質を損なう恐れがなくなる。
【００４３】
さらにまた、このような押さえ部材が、隣接する２列の収納部列間に設けられ、２列の収納部の、それぞれの開口部の一部を覆うようにされれば、１個の押さえ部材で、２列全部の沢山の育苗ポットを押さえることができるので効率がよく、押さえ部材の着脱が、移動用トレーの横からだけでできるので大変便利である。
【００４４】
あるいは、押さえ部材が格子状又は櫛状とされ、移動用トレー内の全ての収納部に対して１個だけ設けられれば、ただ一度の着脱操作で、全ての育苗ポットを固定または解放できるので格別に便利である。
【００４５】
また、このような移動用トレーにおいて、収納部の開口部の、突起が設けられてない縁部の一部、または、押さえ部材に覆われない縁部の一部が、少なくとも指先の幅で低くされれば、育苗ポットの上縁を確実に摘めるようになるので、育苗ポットを移動用トレーから取り出すのに便利である。特に、収納部が育苗ポットの高さより深くされて、突起又は押さえ部材による抑え機能が高められた移動用トレーにおいては、育苗ポットの上縁を摘んで引き出すのが難しいため、窪みが設けられることの上述の効果は非常に大きい。
【図面の簡単な説明】
【図１】本発明に係る移動用トレーの一例を示す斜視図である。
【図２】本発明に係り、図１に示される移動用トレーの収納部を示し、突起を横切る断面図である。
【図３】本発明に係り、育苗ポットを示す斜視図である。
【図４】本発明に係り、変形された育苗ポットを示す斜視図である。
【図５】本発明に係り、図４に示される育苗ポットの上面図である。
【図６】本発明に係る移動用トレーの別の一例を示す上面図である。
【図７】本発明に係り、収納部での突起の配設例を示し、同図（ａ）は対向する二隅に、同図（ｂ）は一隅に、同図（ｃ）は隣り合う二隅に、同図（ｄ）は四辺に突起が設けられた例である。
【図８】本発明に係り、突起の形状例を示し、同図（ａ）は扇状、同図（ｂ）は略三角形、同図（ｃ）は三日月状、同図（ｄ）は爪状の例である。
【図９】本発明に係り、押さえ部材の形状例を説明するものであり、移動用トレーの上面図である。
【図１０】本発明に係り、押さえ部材の他の形状例を説明する、移動用トレーの上面図であり、同図（ａ）と同図（ｂ）は短冊状、同図（ｃ）はロの字形の例である。
【図１１】本発明に係り、押さえ部材の他の形状例を説明する、移動用トレーの上面図である。
【図１２】本発明に係り、押さえ部材の他の形状例を説明する、移動用トレーの上面図である。
【図１３】本発明に係り、押さえ部材の他の形状例を説明する、移動用トレーの上面図である。
【図１４】本発明に係り、押さえ部材の他の形状例を説明する、移動用トレーの上面図である。
【図１５】本発明に係り、押さえ部材の他の形状例を説明する、移動用トレーの上面図である。
【図１６】本発明に係り、押さえ部材の係止手段を例示するものであり、同図（ａ）は移動用トレーの桟部分を拡大して示す縦断面図、同図（ｂ）は移動用トレーの枠部分を拡大して示す縦断面図である。
【図１７】本発明に係り、窪みの配置例を示す、収納部の斜視図である。
【図１８】本発明に係り、窪みの他の配置例を示す、収納部の斜視図である。
【図１９】従来例に係る育苗ポット用トレーの一例を示す斜視図である。
【図２０】従来例に係り、図１９に示される育苗ポット用トレーの、収納部を示す断面図である。
【符号の説明】
１０：移動用トレー
１１：移動用トレーの本体部
１２、５６：育苗ポット
１４：枠
１６：収納部
１８：上縁
１９、５５：用土
２０：収納部の開口部
２２、２３：突起
２４：桟
２５：孔
２６：窪み
２８：育苗ポットの開口部
３０：育苗ポットの隅部
３２：育苗ポットの底
３３：育苗ポット１２底の縁
３４：育苗ポットの開放された側面部が平面図に投影される部分
３６〜４６、４９：押さえ部材
４７：押さえ部
４８：繋ぎ部
５０：トレー
５２：載置部
５４：抜け止め突起
５８：排水孔
Ｒ：曲率半径
ｄ：収納部の底の縁と開口部の縁との距離
【図１】
0003587107.tif 000002
【図２】
0003587107.tif 000003
【図３】
0003587107.tif 000004
【図４】
0003587107.tif 000005
【図５】
0003587107.tif 000006
【図６】
0003587107.tif 000007
【図７】
0003587107.tif 000008
【図８】
0003587107.tif 000009
【図９】
0003587107.tif 000010
【図１０】
0003587107.tif 000011
【図１１】
0003587107.tif 000012
【図１２】
0003587107.tif 000013
【図１３】
0003587107.tif 000014
【図１４】
0003587107.tif 000015
【図１５】
0003587107.tif 000016
【図１６】
0003587107.tif 000017
【図１７】
0003587107.tif 000018
【図１８】
0003587107.tif 000019
【図１９】
0003587107.tif 000020
【図２０】
0003587107.tif 000021